(57)【特許請求の範囲】
【請求項１】
第１の基板と、
前記第１の基板に対向配置した第２の基板と、
前記第１の基板の前記第２の基板と対向する面に形成された少なくとも１つの第１の電極と、
前記第２の基板における前記第１の基板の前記第１の電極と対向する面に形成された複数の第２の電極と、
前記第１の基板の前記第１の電極が形成された面と、前記第２の基板の前記第２の電極が形成された面と、のそれぞれに形成された垂直配向膜と、
前記第１の基板と前記第２の基板との間に封入され、負の誘電異方性を有する液晶層と、を備え、
前記第２の電極は、前記第１の電極と対向する領域により画素領域を画定し、前記画素領域を複数のサブ画素領域に区分するスリットを有し、
前記第２の電極に設けられた前記スリットの全領域と重なるとともに前記スリットの幅よりも広い幅を有する第１の補助電極が形成され、
前記第１の補助電極と前記第２の電極との間に第１の補償容量が形成され、
前記第１の電極と前記第２の電極との間に電界が発生したときに、前記液晶層の液晶分子が前記サブ画素領域の周辺部から前記サブ画素領域の中央部に向かって倒れるように配列する、
ことを特徴とする液晶表示素子。
【請求項２】
前記スリットは、前記第２の電極の中央部から前記第２の電極の周辺部に向かって延びるように形成され、前記第２の電極の中央部で互いに繋がるように形成された複数の切り欠き部を有することを特徴とする請求項１に記載の液晶表示素子。
【請求項３】
前記スリットは十字形状を有していることを特徴とする請求項２に記載の液晶表示素子。
【請求項４】
前記スリットと重なる前記第１の補助電極は十字形状を有していることを特徴とする請求項３に記載の液晶表示素子。
【請求項５】
前記第２の電極の周辺部の少なくとも一部と平面視して重なり、且つ、前記第２の電極を実質的に取り囲む第２の補助電極が形成され、
前記第２の補助電極の前記第２の電極と平面視して重なる領域は第２の補償容量を形成する、
ことを特徴とする請求項１に記載の液晶表示素子。
【請求項６】
前記第１の補助電極及び前記第２の補助電極は、前記第１の電極の電位と等しい電位に設定されることを特徴とする請求項５に記載の液晶表示素子。
【請求項７】
前記第１の補助電極及び前記第２の補助電極は、前記第２の基板面上に形成され、
前記第２の電極は、前記第２の基板の前記第１の補助電極及び前記第２の補助電極の上を覆う第１の絶縁膜上に形成されていることを特徴とする請求項５に記載の液晶表示素子。
【請求項８】
前記第１の補助電極及び前記第２の補助電極は、前記第２の基板面上に互いに接続して形成されていることを特徴とする請求項５に記載の液晶表示素子。
【請求項９】
前記第１の補助電極と前記第２の電極との間に形成される前記第１の補償容量は前記第１の絶縁膜を介して形成されることを特徴とする請求項７に記載の液晶表示素子。
【請求項１０】
前記第２の補助電極と前記第２の電極との間に形成される前記第２の補償容量は前記第１の絶縁膜を介して形成されることを特徴とする請求項７に記載の液晶表示素子。
【請求項１１】
前記第１の補助電極は、透明導電膜から構成されることを特徴とする請求項１に記載の液晶表示素子。
【請求項１２】
前記垂直配向膜は、配向処理されていないことを特徴とする請求項１に記載の液晶表示素子。
【請求項１３】
さらに、前記第２の基板に形成されたＴＦＴ素子を備え、前記第２の電極は前記ＴＦＴ素子のソース電極に接続し、外部から供給される画像信号を前記第２の電極に印加するための前記第２の電極と同一の層に形成されたドレイン配線は前記ＴＦＴ素子のドレイン電極に接続され、外部から供給される走査信号を印加するための前記第１の補助電極及び前記第２の補助電極と同一の層に形成されたゲート配線は前記ＴＦＴ素子のゲート電極に接続されることを特徴とする請求項５に記載の液晶表示素子。
【請求項１４】
前記第２の基板には、前記第２の電極の周辺部に沿った周辺凸部がさらに形成されていることを特徴とする請求項１に記載の液晶表示素子。
【請求項１５】
前記第２の基板に形成された前記周辺凸部は、複数の前記第２の電極の間に、前記ドレイン配線を覆って、前記第１の補助電極の一部と平面視して重なるように形成された第２の絶縁膜によって形成されていることを特徴とする請求項１４に記載の液晶表示素子。
【請求項１６】
前記第２の絶縁膜は、前記第２の電極よりも厚く形成されているとともに、前記第１の補助電極と平面視して重なる端部が前記第２の電極と接触しないように配置されていることを特徴とする請求項１５に記載の液晶表示素子。
【発明の詳細な説明】
【技術分野】
【０００１】
本発明は、垂直配向型の液晶表示素子に関する。
【背景技術】
【０００２】
従来のＴＦＴ液晶パネルは、ＴＦＴ（Thin Film Transistor）基板と、ＣＦ（Color Filter）基板と、これらの基板間に挟持された液晶層と、により構成される。ＴＦＴ基板とＣＦ基板間に封入される液晶材料としては、ＴＮ（ねじれネマティック）ディスプレイでは正の誘電異方性を示す材料が使用される。負の誘電異方性を示す材料を使用する液晶表示素子としては、液晶のダイレクタ（分子長軸方向）を、無電界の状態で基板と垂直な方向に向けた垂直配向型のＴＦＴ液晶表示素子が提案されている。
【０００３】
垂直配向型のＴＦＴ液晶表示素子は、対向して配置された一対の基板間に、負の誘電異方性を示す液晶を封入することにより液晶セルが構成される。一対の基板の一方には、個々の画素毎に画素電極が形成され、他方の基板には、複数の前記画素電極と対向する共通（対向）電極が形成され、これらの各画素電極と共通電極の対向部分とその間の液晶により１つの画素が形成される。それぞれの基板には、前記画素電極と対向電極間に電圧が印加されたときに液晶分子が倒れる方向を定めるためのラビング処理された垂直配向膜が画素電極と、共通電極とを覆うように形成されている。
【０００４】
前記画素電極と共通電極との間に電圧が印加されていない場合、共通電極と画素電極とは同電位であるため、画素電極と共通電極との間に電界が形成されず、その負の誘電異方性と垂直配向膜の作用により、液晶分子は基板に対して垂直に配向している。
【０００５】
画素電極と共通電極との間に電圧が印加されると、画素電極と共通電極との間に形成される電界により液晶分子が傾くように挙動し、画素電極と共通電極間に十分高い電圧が印加されたときに、液晶分子は基板に対して実質的に水平に配向する。この場合、画素電極と共通電極との間に形成される電界により、液晶分子はラビング処理の方向に沿って一方方向に配向するため、コントラストの視野角依存性が大きく、視野角特性が悪い問題がある。
【０００６】
そこで、垂直配向型の液晶表示装置において、広い視野角特性を得るために、各画素毎に液晶分子を複数の方向に配向させた複数のドメインを形成することが提案されている。例えば、特許文献１に記載されているように、共通電極にエックス字形状の開口を形成し、対向する２つの電極間に電圧が印加されたとき、１つの画素において液晶分子を前記エックス字形開口の中央に向かって４つの方向に倒れるように配向させた液晶表示装置が提案されている。
【０００７】
この液晶表示装置では、共通電極を画素電極より大きく形成し、画素電極と共通電極との間に電圧を印加した場合は、画素領域の画素電極と共通電極が対向する部分では縦電界が発生し、画素電極の周辺部には斜め電界を発生させ、共通電極の開口（スリット）が形成されている部分に電界の不連続部分を形成することにより、液晶分子が各画素毎に前記エックス字形開口の中央に向かって倒れるように配列する。すなわち、この液晶表示装置では、液晶分子は各画素ごとにエックス字形開口によって区画された領域ごとに４つの方向に向かって傾くように配向する。
【特許文献１】特許第２５６５６３９号明細書
【発明の開示】
【発明が解決しようとする課題】
【０００８】
しかし、特許文献１に開示された液晶表示装置は、各画素の中に形成されたエックス字開口によって配向方向の異なる領域を形成するため、各領域間の相互作用を絶つためにエックス字開口は十分広い幅に形成される必要がある。そのため、各画素において、電界により制御することができない開口（スリット）の面積が多く、共通電極の面積が少なくなり、開口率が低くなるために透過率が低くなるという問題がある。
【０００９】
本発明は上記実情に鑑みてなされたものであり、広視野角で高透過率、高コントラストの液晶表示素子を提供することを目的とする。
【課題を解決するための手段】
【００１０】
上述した目的を達成するため、この発明の第１の観点による液晶表示素子は、
第１の基板と、前記第１の基板に対向配置した第２の基板と、前記第１の基板の前記第２の基板と対向する面に形成された少なくとも１つの第１の電極と、前記第２の基板における前記第１の基板の前記第１の電極と対向する面に形成された複数の第２の電極と、前記第１の基板の前記第１の電極が形成された面と、前記第２の基板の前記第２の電極が形成された面と、のそれぞれに形成された垂直配向膜と、前記第１の基板と前記第２の基板との間に封入され、負の誘電異方性を有する液晶層と、を備え、前記第２の電極は、前記第１の電極と対向する領域により画素領域を画定し、前記画素領域を複数のサブ画素領域に区分するスリットを有し、前記第２の電極に設けられた前記スリットの全領域と重なるとともに前記スリットの幅よりも広い幅を有する第１の補助電極が形成され、前記第１の補助電極と前記第２の電極との間に第１の補償容量が形成され、前記第１の電極と前記第２の電極との間に電界が発生したときに、前記液晶層の液晶分子が前記サブ画素領域の周辺部から前記サブ画素領域の中央部に向かって倒れるように配列する、ことを特徴とする。
【発明の効果】
【００２５】
本発明によれば、画素電極に形成されたスリットに対応する領域に補助電極を形成することによって、広視野角で高透過率、高コントラストの液晶表示素子を提供することができる。
【発明を実施するための最良の形態】
【００２６】
本発明の実施形態に係る液晶表示素子について、以下図面を参照して説明する。
【００２７】
（実施形態１）
本発明の実施形態１に係る液晶表示素子を図１〜図３に示す。図１は、本発明の実施形態１に係る垂直配向型の液晶表示素子の概略構造を示す断面図、図２はこの液晶表示素子における１つの画素構造を示す平面図である。図３（ａ）は、図２に示す液晶表示素子の２Ｂ−２Ｂ線断面図であり、図３（ｂ）は、図２に示す液晶表示素子の２Ｃ−２Ｃ線断面図である。
【００２８】
液晶表示素子は、図示するように、一対の基板１０、２０と、それぞれの基板の互いに対向する内面に形成された画素電極３０および対向電極４０と、これらの電極の表面に形成された垂直配向膜５０と、前記一対の基板１０、２０を接合するためのシール材９０と、前記一対の基板間１０、２０に封入された液晶層６０とにより液晶パネル１００が構成され、この液晶パネル１００の前記一対の基板１０、２０それぞれの外側にこれらの基板１０、２０を挟むように配置された一対の偏光板７０、８０とにより構成される。
【００２９】
前記一対の基板１０、２０のうち、一方の基板１０の他方の基板２０と対向する面には、前記対向電極４０と、図示しないカラーフィルタとが形成されている。他方の基板２０の一方の基板１０と対向する面には、画素電極３０と、この画素電極３０に接続され、外部から供給される画素信号を前記画素電極３０に印加するためのＴＦＴ素子３１と、このＴＦＴ素子３１に画素信号を供給するドレイン配線３２と、各画素における液晶分子の配向を制御し且つ安定化させ、且つ前記画素電極３０との間に補償容量（ＣＳ）を形成するための補助電極３３、ＴＦＴ素子３１の動作を制御するためのゲート信号を前記ＴＦＴ素子３１に供給するゲート配線３４と、前記ＴＦＴ素子３１のゲート電極を覆うゲート絶縁膜３５と、前記ドレイン配線３２を覆う絶縁膜３６と、およびこれらの膜表面を覆う垂直配向膜５０が形成されている。前記ＴＦＴ素子３１は、詳細は図示しないが、基板上に形成された逆スタガ型の薄膜トランジスタ（Thin Film Transistor）である。
【００３０】
画素電極３０は、酸化インジウムを主成分とするＩＴＯ（Indium Tin Oxide）膜等から構成されたほぼ四角形の透明電極から形成される。また、画素電極３０は、対向電極４０と対向する領域により、画像を形成するための最小単位である１つの画素の領域を画定している。この画素電極３０には、各画素ごとに複数のサブ画素領域に区分するための幅の狭い開口部が形成されている。この開口部は、画素電極３０の中央から周縁に向かって延びるように形成され、前記画素電極３０の中央部で互いに繋がった複数のスリット３０ａから構成される。この実施形態では、画素電極３０に、その画素電極３０の中央部の縦方向及び横方向に延在するように、前記画素電極３０を切り欠いたスリット３０ａが形成されており、このスリット３０ａにより前記１つの画素が４つのサブ画素領域に区分されている。
【００３１】
ドレイン配線３２は、各画素列毎に、列方向に伸びるように形成されたアルミニウム配線等から構成される。ドレイン配線３２は、同一画素列のＴＦＴ素子３１のドレイン電極に接続され、列ドライバからの画像信号をオンしたＴＦＴ素子３１を介して画素電極３０に供給する。
【００３２】
補助電極３３は、アルミニウム等から構成され、画素電極３０の周囲に、画素電極３０の周縁部との間でゲート絶縁膜３５を介してその一部が重なるように形成される。さらに、補助電極３３は、スリット３０ａに対応するように画素電極３０の下層に、スリット３０ａの幅より広く、その周縁部と一部が重なるように形成される。この補助電極３３は画素電極３０よりも低い予め定めた電位に維持され、より好ましくは、対向電極４０と同電位に設定され、前記画素電極３０との間で、各画素電極３０と対向電極４０と液晶層６０とで形成される画素容量と並列に接続された補償容量（ＣＳ）を形成する。
【００３３】
ゲート配線３４は、各画素行毎に行方向に伸びるように形成されたアルミニウム配線等から構成され、ゲート絶縁膜３５により他の電極と絶縁されている。このゲート配線３４は、対応する画素行のＴＦＴ素子３１のゲート電極に接続され、ＴＦＴ素子３１に走査信号を供給し、ＴＦＴ素子３１のオン／オフを制御する。
【００３４】
ゲート絶縁膜３５は、ＴＦＴ素子３１のゲート電極、ゲート配線３４、及び補助電極３３が形成された基板２０上に形成された絶縁膜であり、例えばシリコン窒化膜から構成される。なお、ゲート絶縁膜３５は、ＴＦＴ素子３１の図示せぬゲート電極とこのゲート電極に対向する半導体層及びソース／ドレイン電極とを電気的に分離する。なお、このＴＦＴ素子３１のソース電極は、対応する画素電極３０に接続され、ドレイン電極は対応するドレイン配線３２に接続される。
【００３５】
絶縁膜３６は、ドレイン配線３２を被い、画素電極３０と、隣接する画素の画素電極３０との間に形成された絶縁膜であり、例えばシリコン窒化膜から構成される。
【００３６】
垂直配向膜５０は、例えばＣＶＤ（Chemical Vapor Deposition）により形成された、ヘキサメチルジシロキサンの重合膜等から構成される。垂直配向膜５０は、基板１０上に形成された画素電極３０と、基板２０上に形成された対向電極４０をそれぞれ覆うように形成される。また、対向する垂直配向膜５０間に、液晶層６０が封入される。なお、垂直配向膜５０には、ラビングが形成されておらず、その配向規制力により、無電界時には、表面近傍の液晶分子を垂直に配向させる。
【００３７】
次に、上記構成の液晶表示素子の製造方法について説明する。
ガラス等から形成された基板２０上に、アルミニウム膜を形成し、これをパターニングすることによりＴＦＴ素子３１のゲート電極とゲート配線３４と補助電極３３（補助電極３３を相互に接続する配線を含む）を形成する。次いで、ＣＶＤによりゲート絶縁膜３５を形成する。続いて、ゲート絶縁膜３５上に、ＴＦＴ素子３１の半導体層、ソース電極、ドレイン電極などを形成する。
【００３８】
続いて、ゲート絶縁膜３５上にスパッタによりＩＴＯ膜を形成する。形成されたＩＴＯ膜の画素領域を構成する部分を残して、ＩＴＯ膜をエッチングしてパターニングすることにより、画素中心部から画素領域の周辺部に延びるように形成された幅の狭いスリット３０ａを備える画素電極３０が得られる。
【００３９】
次に、画素電極３０の周縁から離間してゲート絶縁膜３５上にドレイン配線３２を形成し、ドレイン配線３２をＴＦＴ素子３１のドレイン領域に接続する。画素電極３０の周囲の非画素領域に形成されたドレイン配線３２を覆うように、ゲート絶縁膜３５上に絶縁膜３６を形成する。
【００４０】
続いて、全面にＣＶＤ、スピンコート等により、垂直配向膜５０を形成する。
【００４１】
このようにして形成された基板２０と、対向電極４０、カラーフィルタなどが形成された対向基板１０と、を図示しないスペーサを挟んで対向して配置して、周囲をシール材９０によりシールして液晶セルを形成する。続いて、この液晶セルに液晶層６０を注入し、図示しない注入口を封止する。さらに、基板２０及び基板１０の外面に偏光板７０、８０を配置して液晶表示素子が製造される。
【００４２】
次に、上記のような構造を有する画素内の液晶の挙動について説明する。
１つの画素電極３０と対向電極４０とが互いに対向する領域によって定義される１つの画素は、画素電極３０に形成された複数のスリット３０ａにより、４つのサブ画素領域に区分されている。各サブ画素領域は、その周囲が補助電極３３により囲まれており、画素電極３０と補助電極３３との間に電圧が印加されると、各サブピクセルの四辺には、横方向の電界が発生する。
【００４３】
図４（ａ）、（ｂ）は、図３（ａ）に示す断面構造における前記スリット３０ａ近傍部分の電界と液晶分子の配向を模式的に示す。図５に示すように、画素電極３０には、３．０Ｖ乃至９．０Ｖの駆動電圧ＶＤが、補助電極３３と対向電極４０には、−２Ｖ乃至４．０Ｖの駆動電圧ＶＣが、１６．６ｍｓのパルス周波数で印加される。画素電極３０と対向電極４０、補助電極３３の間には、５．０Ｖの電位差が発生し、この電位差により、画素電極３０におけるスリット３０ａの縁部分に横方向の電界が発生し、また画素電極３０の周囲の縁部分と補助電極３３間に横電界が発生する。画素電極３０の縁部分から画素電極３０の内側に向かうにつれて、上記横電界は斜め電界となり、上記電極の縁から十分離れたところで縦電界となる。この状態を図４（ａ）に等電位線で表している。
【００４４】
画素電極３０の上記スリット３０ａで分割されたサブ画素領域の周辺部の液晶分子６０ａは、周縁の横電界とその内側の斜め電界の方向に対して垂直になるように、即ち図４（ａ）に示す等電位線に沿って、図４（ｂ）に示すように、その長軸方向（ダイレクタ）が傾いて配向する。そして、各サブ画素領域の液晶分子６０ａの挙動を模式的に示す図６（ａ）に示すように、各サブ画素領域の周辺部の液晶分子６０ａは各サブ画素領域の内側に向かって倒れるように挙動する。また各サブ画素領域の中心部の液晶分子６０ａは、周辺部の液晶分子が中心に向かって倒れ込むように配列するため、周りから均等に分子間力を受けて基板面に対して垂直に配列する。この状態を各サブ画素領域毎にその断面方向からみると、図４（ｂ）に示すように、液晶分子６０ａは、そのダイレクタを画素電極３０の周縁より外側と画素電極３０のスリット３０ａで、基板面に対してほぼ垂直に向けて配列する。また、液晶分子６０ａは、そのダイレクタを画素の周縁及びスリット３０ａの縁から内側に進むに伴って斜めに向けて配列し、また十分内側では基板面にほぼ平行に配列する。そして、各ドメインの中心部では液晶分子６０ａは、そのダイレクタを基板に垂直な方向に向けて配向する。
【００４５】
そして、各サブ画素領域の液晶分子６０ａの配向状態を模式的に示す図６（ｂ）で示すように、各サブ画素領域を画素電極３０の平面方向に見ると液晶分子６０ａは、そのダイレクタを、画素電極３０をスリット３０ａにより分割したそれぞれの各サブ画素領域ごとに、上記各サブ画素領域のほぼ中心の垂直に配列した液晶分子から、周辺に向かって放射状に配列する。
【００４６】
以上説明したように、画素電極３０に画素中心から画素周辺に向かうスリット３０ａを形成し、画素を複数のサブ画素領域に区分する。そして、区分されたサブ画素領域ごとにその周辺部では、画素電極３０と補助電極３３との間に印加される電圧に応じて発生する電界により、区画された各サブ画素領域ごとにその周縁から中心に向かうように液晶分子が配列される。結果として、上記分割された各サブ画素領域ごとに液晶配向が不連続なドメインが形成される。そして、上記スリット３０ａに対応する部分にも補助電極３３を配置しているので、ドメイン周辺部の液晶の配向が安定化され、その結果、上記分割された各サブ画素領域ごとに形成される液晶分子の配列のドメイン形成が安定する。したがって、表示上のざらつきやむらを解消することができる。また、各ドメインで液晶分子はドメイン中心に向かって配向するため、視野角特性も向上する。
【００４７】
また、画素を複数の各サブ画素領域に分割するためのスリット３０ａの基板側に補助電極としての補助電極３３を形成し、この補助電極３３の電位を画素電極３０の電位より低く、好ましくは対向電極４０の電位と等しくする。これにより、上記スリット３０ａによる画素電極３０周縁の電界の変化が明確になるので、スリット３０ａの幅を狭くすることができ、その結果、１つの画素の中で電界により液晶分子の挙動を制御可能な面積が増大し、開口率を高くすることができるため、透過率を高くすることができる。
【００４８】
本発明は上述した実施形態に限定されず、その応用及び変形等は任意である。
例えば、上記実施形態１では、補助電極３３を金属膜で形成したが、この補助電極３３は、画素電極３０の周辺部に対応する部分をアルミニウム等の金属膜で形成し、画素電極３０の内側のスリット３０ａに対応する部分に形成する補助電極３３を透明導電膜によって形成するのが好ましい。
【００４９】
このように、補助電極３３を画素の周辺部の金属膜と、内側の透明導電膜とから形成することにより、画素電極３０の内側を透過する光を補助電極３３で遮断することが無くなるため、各画素の開口率が向上するため透過率が向上し、明るい表示が得られる。
【００５０】
（実施形態２）
本発明の実施形態２に係る液晶表示素子を図７及び図８に示す。
実施形態２に係る液晶表示素子が上述した実施形態１と異なるのは、実施形態１では補助電極３３はアルミニウム等から形成されていたが、実施形態２の補助電極３７は透明導電膜からなる透明電極から形成される点にある。上述した実施形態１と同様の構成要素については、同一の参照符号を付して説明は省略する。
【００５１】
本実施形態の液晶表示素子は、基板２０上にドレイン配線３２が形成され、このドレイン配線３２を覆ってシリコン窒化膜からなる絶縁膜３８を形成する。絶縁膜３８上に前記実施形態１と同様にＴＦＴ素子３１、補助電極３７、ゲート配線３４を形成し、その上にゲート絶縁膜３５で覆い、その上に透明な画素電極３０が形成されている。
【００５２】
補助電極３７は、酸化インジウムを主成分とするＩＴＯ膜等から形成された透明電極から構成され、画素電極３０の近傍に配置されたアルミニウム等からなる金属配線３７ａに接続されている。
【００５３】
前記ドレイン配線３２は、絶縁膜３８とゲート絶縁膜３５に設けたスルーホール３８ａによって前記ゲート絶縁膜３５上の接続配線３２ａに接続され、この接続配線３２ａがＴＦＴ素子３１のドレイン電極に接続されている。
【００５４】
上記構成の液晶表示素子の製造方法について説明する。
基板２０上に、画素の領域から離してドレイン配線３２を形成する。続いて、絶縁膜３８を基板２０上に形成する。次に、絶縁膜３８上にアルミニウム膜を形成し、これをパターニングすることによりＴＦＴ素子３１のゲート電極とゲート配線３４とを形成する。
【００５５】
次いで、絶縁膜３８上にスパッタによりＩＴＯ膜を形成する。ＩＴＯ膜をエッチングしてパターニングすることにより、補助電極３７を形成する。
【００５６】
次いで、ＣＶＤによりゲート絶縁膜３５を形成する。続いて、ゲート絶縁膜３５上に、ＴＦＴ素子３１の半導体層を形成し、ドレイン電極、ソース電極を形成する。
【００５７】
続いて、ゲート絶縁膜３５上に、スパッタによりＩＴＯ膜を形成する。形成されたＩＴＯ膜の画素領域を構成する部分を残して、ＩＴＯ膜をエッチングしてパターニングすることにより、画素中心部から画素の周辺部に延びるように形成された幅の狭いスリット３０ａを備える画素電極３０が得られる。絶縁膜３８とゲート絶縁膜３５に設けたスルーホール３８ａを介して接続するようにメタルからなる接続配線３２ａを形成し、ＴＦＴ素子３１のドレイン電極に接続した後、画素の領域を除いた部分に絶縁膜３６を形成する。続いて、全面にＣＶＤ、スピンコート等により、配向膜５０を形成する。
【００５８】
以上説明したように、この実施形態２においても、前記実施形態１と同様に画素電極３０に画素中心から画素周辺に向かうスリット３０ａを形成し、画素を複数のサブ画素領域に区分し、且つスリット３０ａに対応する部分にも補助電極３７を配置しているので、ドメイン周辺部の液晶の配向が安定化され、その結果、上記分割された各サブ画素領域ごとに形成される液晶分子の配列のドメイン形成が安定する。したがって、表示上のざらつきやむらを解消することができる。また、各ドメインで液晶分子はドメイン中心に向かって配向するため、視野角特性も向上する。
【００５９】
また、画素を複数の各サブ画素領域に分割するためのスリット３０ａの基板側に形成した補助電極としての補助電極３７の電位を画素電極３０の電位より低くし、好ましくは補助電極３７の電位を対向電極４０の電位と等しくする。これによって画素電極３０周縁の電界の変化が明確になるので、スリット３０ａの幅を狭くすることができ、その結果、１つの画素の中で電界により液晶分子の挙動を制御可能な面積が増大し、開口率を高くすることができるため、透過率を高くすることができる。
【００６０】
さらに、本実施形態では補助電極３７を透明導電膜から形成するため、画素電極３０と重なる領域からも光が透過し、前記画素電極３０の全面積が光の透過を制御可能な領域となる。従って、画素の開口率が向上するため透過率が向上し、明るい表示が得られる。
【００６１】
本発明は、上記の実施形態に限定されず、その応用及び変形等は任意である。
例えば、上述したそれぞれの実施形態では、スリット３０ａを、画素電極３０の中心部から周辺部に向かって縦方向及び横方向に形成したが、このスリット３０ａは、画素電極３０を略同一形状に区分するように配置されればよく、例えば画素電極３０の対角線上を画素中心部から四隅に向かって形成されてもよい。また、スリットにより区分されるサブ画素領域の数は、４に限らず、２以上の任意の整数であり得る。
【図面の簡単な説明】
【００６２】
【図１】本発明の実施形態１に係る液晶表示素子の構成例を示す断面図である。
【図２】本発明の実施形態１に係る液晶表示素子における１画素に対応する部分の構造を示す平面図である。
【図３】図３（ａ）は、図２に示す液晶表示素子の２Ｂ−２Ｂ線断面図である。図３（ｂ）は、図２に示す液晶表示素子の２Ｃ−２Ｃ線断面図である。
【図４】図４（ａ）は、液晶表示素子の液晶層に発生する電界を示す等電位線図である。図４（ｂ）は、液晶表示素子の液晶層の液晶分子の配列状態を模式的に示す図である。
【図５】図１に示す液晶表示素子の各電極に印加される駆動電圧の波形を示す駆動電圧波形図である。
【図６】図６（ａ）は、各サブ画素領域の周辺部に位置する液晶分子の配向状態を示し、図６（ｂ）は各サブ画素領域ごとの液晶分子の配向状態を平面的に示す模式図である。
【図７】本発明の実施形態２に係る液晶表示素子における１画素に対応する部分の構造を示す平面図である。
【図８】図８（ａ）は図７に示す液晶表示素子の６Ｂ−６Ｂ線断面図である。図８（ｂ）は、図７に示す液晶表示素子の６Ｃ−６Ｃ線断面図である。
【符号の説明】
【００６３】
１０，２０・・・基板、３０・・・画素電極、３１・・・ＴＦＴ素子、３２・・・ドレイン配線、３３，３７・・・補助電極、３４・・・ゲート配線、３５・・・ゲート絶縁膜、３６・・・絶縁膜、４０・・・対向電極、５０・・・垂直配向膜、  ６０・・・液晶層、７０，８０・・・偏光板、１００・・・液晶パネル。
【図１】
0004844027.tif 000002
【図２】
0004844027.tif 000003
【図３】
0004844027.tif 000004
【図４】
0004844027.tif 000005
【図５】
0004844027.tif 000006
【図６】
0004844027.tif 000007
【図７】
0004844027.tif 000008
【図８】
0004844027.tif 000009